(57)【要約】【課題】アイロン本体の姿勢にかかわらず、大量のスチームが噴出できる安価で使い勝手の良いスチームアイロンを得る。【解決手段】ヒータ（図示せず）によって加熱されるベース（図示せず）と、前記ベースに形成された気化室（図示せず）と、前記気化室に供給される水を貯える水タンク４と、前記水タンク４に配置され瞬時に大量のスチームを発生させるためのポンプ装置（図示せず）とを具備し、前記水タンク４内の底部の前端と後端に、前記ポンプ装置に連通する前端吸水口１２ａ、後端吸水口１２ｂを夫々配置したもので、アイロン本体（図示せず）の前端を上にした時は、後端吸水口１２ｂから、アイロン本体の後端を上にした時は、前端吸水口１２ａからそれぞれポンプ装置７に給水されるので、アイロン本体の姿勢にかかわらず、大量のスチームを発生させることができる。【選択図】図２
2006081805.tif 000002
【特許請求の範囲】
【請求項１】
ヒータによって加熱されるベースと、前記ベースに形成された気化室と、前記気化室に供給される水を貯える水タンクと、前記水タンクに配置され瞬時に大量のスチームを発生させるためのポンプ装置とを具備し、前記ポンプ装置に連通する吸水口を、前記水タンク内の底部の前端と後端に配置したスチームアイロン。
【請求項２】
ポンプ装置は、シリンダーと、前記シリンダー内で手動で摺動操作されるピストンからなる請求項１記載のスチームアイロン。
【請求項３】
前端の吸水口に、アイロン本体の前端を上げた時に前記前端の吸水口を閉塞する弁体を、後端の吸水口に、アイロン本体の前端を下げた時に前記後端の吸水口を閉塞する弁体をそれぞれ配置した請求項１または２記載のスチームアイロン。
【請求項４】
弁体は、ポンプ装置に近づくに従い水路をすり鉢状に小さく形成した弁体本体と、吸水口を閉塞する球体と、球体を弁体本体内に保持する蓋体からなる請求項３に記載のスチームアイロン。
【請求項５】
吸水口とポンプ装置を連通する連通管を設け、前記連通管と弁体本体とを一体に形成した請求項４に記載のスチームアイロン。
【発明の詳細な説明】
【技術分野】
【０００１】
本発明は、衣類等のしわ伸ばしを行うスチームアイロンに関するものである。
【背景技術】
【０００２】
従来、この種のスチームアイロンは、管状の連通部を用い、水タンク内でアイロン本体の長手方向の後端に吸水口を配置し、ポンプ装置を動作させると、水タンクの吸水口、ポンプ装置、ポンプ装置の排水口を経由して、気化室に供給され大量のスチームが発生する。そして、水タンクの後端に吸水口があるため、アイロン本体を立てた状態で大量のスチームを噴出させることができ、衣類をハンガー等に吊るしたままの状態で衣類のしわ伸ばしができるようになっている（例えば、特許文献１参照）。
【特許文献１】特開２００３−１０６００号公報（図１）
【発明の開示】
【発明が解決しようとする課題】
【０００３】
しかし、このような従来のスチームアイロンの構成では、アイロン本体の先端を下げて使用する場合、すなわち、水タンク内の水が水タンクの前方に移動する場合は、吸水口が後端にあるため、吸水口から水を吸い上げることができず、大量のスチームを噴出できないという問題があった。
【０００４】
そこで、本発明は、安価な構成で、アイロン本体の姿勢にかかわらず、大量のスチームを噴出することができる使い勝手の良いスチームアイロンを提供することを目的としている。
【課題を解決するための手段】
【０００５】
前記従来の課題を解決するために、本発明のスチームアイロンは、ヒータによって加熱されるベースと、前記ベースに形成された気化室と、前記気化室に供給される水を貯える水タンクと、前記水タンクに配置され瞬時に大量のスチームを発生させるためのポンプ装置とを具備し、前記ポンプ装置に連通する吸水口を、前記水タンク内の底部の前端と後端に配置したもので、アイロン本体の前端を上げて使用する時には後端の吸水口から、またアイロン本体の前端を下げて使用する場合には前端の吸水口からそれぞれポンプ装置内に水を吸水することができるので、アイロン本体の姿勢にかかわらず、大量のスチームを発生させることができる。
【発明の効果】
【０００６】
本発明にかかるスチームアイロンは、安価な構成で、アイロン本体の姿勢にかかわらず、大量のスチームを噴出することができる使い勝手の良いものである。
【発明を実施するための最良の形態】
【０００７】
第１の発明は、ヒータによって加熱されるベースと、前記ベースに形成された気化室と、前記気化室に供給される水を貯える水タンクと、前記水タンクに配置され瞬時に大量のスチームを発生させるためのポンプ装置とを具備し、前記ポンプ装置に連通する吸水口を、前記水タンク内の底部の前端と後端に配置したもので、アイロン本体の前端を上げて使用する時には後端の吸水口から、またアイロン本体の前端を下げて使用する場合には前端の吸水口からそれぞれポンプ装置内に水を吸水することができるので、アイロン本体の姿勢にかかわらず、大量のスチームを発生させることができる。
【０００８】
第２の発明は、特に、第１の発明のポンプ装置は、シリンダーと、前記シリンダー内で手動で摺動操作されるピストンからなるもので、簡単で、部品点数が少ないので、部品のバラツキによる不良が低減でき、安価で性能の良いスチームアイロンを提供することができる。
【０００９】
第３の発明は、特に、第１又は第２の発明の前端の吸水口に、アイロン本体の前端を上げた時に前記前端の吸水口を閉塞する弁体を、後端の吸水口に、アイロン本体の前端を下げた時に前記後端の吸水口を閉塞する弁体をそれぞれ配置したもので、アイロン本体の前端を上げて使用する場合には前端の吸水口から、アイロン本体の前端を下げて使用する場合には後端の吸水口から、空気を吸うことがないため、安定して大量のスチームを発生させることができる。すなわち、アイロン本体の姿勢にかかわらず、安定して大量のスチームを発生させることができる。
【００１０】
第４の発明は、特に、第３の発明の弁体は、ポンプ装置に近づくに従い水路をすり鉢状に小さく形成した弁体本体と、吸水口を閉塞する球体と、球体を弁体本体内に保持する蓋体からなるもので、アイロン本体の前端を上げて使用する場合には、水がその近傍にない前端の吸水口を、アイロン本体の前端を下げて使用する場合には水がその近傍にない後端の吸水口を、球体が自重により閉塞することになり、それぞれの場合において、水がその近傍になく吸水しない吸水口から空気を吸うことを防止できるので、水がその近傍にある他方の吸水口から確実に水を吸うことができ、安定して大量のスチームを発生させることができる。すなわち、アイロン本体の姿勢にかかわらず、安定して大量のスチームを発生させることができる。
【００１１】
第５の発明は、特に、第４の発明の吸水口とポンプ装置を連通する連通管を設け、前記連通管と弁体本体とを一体に形成したもので、部品点数を少なくすることができる。また、部品と部品の継目をシールする部分を少なくすることができるため、部品と部品の継目より空気を吸うことがなく、安定して大量のスチームを発生させることができる。すなわち、安価で性能の良いスチームアイロンを提供することができる。
【００１２】
以下、本発明の実施の形態について、図面にもとづいて説明する。なお、この実施の形態によって本発明が限定されるものではない。
【００１３】
（実施の形態１）
図１は、本発明の実施の形態１におけるスチームアイロンの要部側断面図、図２は、同スチームアイロンに実装する水タンクの平面図、図３は、同スチームアイロンのアイロン本体の前端を上げた時の要部断面図、図４は、同アイロン本体の前端を下げた時の要部断面図である。
【００１４】
図１から図４において、１はアイロン本体で、図示しないヒータで加熱されると共に気化室２を形成したベース３を備え、前記気化室２に水を供給するための水タンク４が前記ベース３の上方に配置されている。水タンク４には、上部に作業者が操作する操作部８を有するポンプ装置７が配置されている。ポンプ装置７は、シリンダー５と、操作部８と連結されシリンダー５内で摺動するピストン６から構成され、操作部８は、バネ８ａにより上方に付勢されている。ポンプ装置７の吐出口９は、導水部１０、接続部１１を経由して気化室２に接続されている。
【００１５】
また、ポンプ装置７の水タンク４内の水を吸う吸水口１２は、分岐部１３と管状の連通管１４を介して、水タンク４内のアイロン本体１の長手方向前端に位置する前端吸水口１２ａと、水タンク４内のアイロン本体１の長手方向後端に位置する後端吸水口１２ｂに分岐している。
【００１６】
前端、後端吸水口１２ａ、１２ｂのそれぞれには、弁体１５が配置されている。弁体１５は、ポンプ装置７に近づくに従い水路１６をすり鉢状に小さく形成した弁体本体１７と、前端、後端吸水口１２ａ、１２ｂのそれぞれを閉塞する球体１８と、この球体１８を弁体本体１７内に保持するために弁体本体１７の開放部分を覆う蓋体１９とで構成されている。なお、前記連通管１４と弁体本体１７は一体で形成されている。
【００１７】
上記構成におけるスチームアイロンの動作を以下に説明する。
【００１８】
作業者が操作部８を操作し、ピストン６が上方に移動する時に、シリンダー５内に水が満たされる。このとき、アイロン本体１の前端を上げて使用した場合は、水タンク４内の水は水タンク４の後方に集中し、前端吸水口１２ａの近傍に水が無い状態になるが、前端吸水口１２ａは球体１８の自重によって閉塞されるため、前端吸水口１２ａより空気を吸うことなく、球体１８の自重により開いている後端吸水口１２ｂから水を吸水することができる。
【００１９】
次に、アイロン本体１の前端を下げて使用した場合は、水タンク４内の水は水タンク４の前方に集中し、後端吸水口１２ｂの近傍に水が無い状態になるが、後端吸水口１２ｂは球体１８の自重によって閉塞されるため、後端吸水口１２ｂより空気を吸うことなく、球体１８の自重により開いている前端吸水口１２ａから水を吸水することができる。
【００２０】
なお、前記連通管１４と弁体本体１７を一体で形成するようにすれば、その接合部から空気の吸い込みを防ぐことができるため安定して水を吸水することができる。
【００２１】
引き続き、作業者が操作部８を操作し、ピストン６を下方に押し下げた時にシリンダー５内に満たされた水は、ポンプ装置７の吐出口９から押し出され導水部１０、接続部１１を経由して気化室２に滴下され、大量のスチームが発生する。
【産業上の利用可能性】
【００２２】
以上のように、本発明にかかるスチームアイロンは、アイロン本体の姿勢にかかわらず、大量のスチームを確実に噴出することができるので、衣類等のしわ伸ばしを行うスチームアイロン、スチーマー等のような、液体を収納する容器が着脱自在に装着され、使用時に色々な角度に傾けられる各種機器に適用できる。
【図面の簡単な説明】
【００２３】
【図１】本発明の実施の形態１におけるスチームアイロンの要部側断面図
【図２】同スチームアイロンに装着される水タンクの平面図
【図３】同スチームアイロンのアイロン本体の前端を上げた時の要部断面図
【図４】同アイロン本体の前端を下げた時の要部断面図
【符号の説明】
【００２４】
１  アイロン本体
２  気化室
３  ベース
４  水タンク
７  ポンプ装置
１２  吸水口
１２ａ  前端吸水口
１２ｂ  後端吸水口
１４  連通管
１７  弁体本体
１８  球体
【図１】
2006081805.tif 000003
【図２】
2006081805.tif 000004
【図３】
2006081805.tif 000005
【図４】
2006081805.tif 000006